(57)【要約】【課題】パソコン等を載置する天板の奥行きを確保するとともに、執務者同士の目線が直接交錯することがなく、かつ人員構成の変化にも充分に対応することができるワークテーブルと、これを用いたワークエリアのレイアウトを提供する。【解決手段】平面視においてほぼ四辺形の天板であって、前記四辺形における１対の相対する２辺が平行であるとともに、他方の１対の相対する２辺が非平行であり、かつ前記１対の平行な２辺のうち、長さが短い方の１辺と、他方の１対の相対する２辺のうちのそれぞれの１辺との間に形成される２つの内角のうち、１つの内角を鋭角とし、他方の内角を鈍角とした天板１６を備えるワークテーブル１５を用いて、オフィスにおけるワークエリアをレイアウトする。【選択図】        図１３
2004337494.tif 000002
【特許請求の範囲】
【請求項１】
平面視においてほぼ四辺形の天板であって、前記四辺形における１対の相対する２辺（ａ辺とｂ辺）が平行であるとともに、他方の１対の相対する２辺（ｃ辺とｄ辺）が非平行であり、かつ前記１対の平行な２辺のうち、長さが短い方の１辺（ａ辺）と、他方の１対の相対する２辺（ｃ辺とｄ辺）のうちのそれぞれの１辺との間に形成される２つの内角のうち、１つの内角を鋭角とし、他方の内角を鈍角とした天板を備えることを特徴とするワークテーブル。
【請求項２】
前記鋭角である内角を（６５±１５）度、前記鈍角である内角を（１３０±１５）度としたことを特徴とする請求項１記載のワークテーブル。
【請求項３】
前記天板の外郭を構成する四辺形において、各辺の交わる４つの角部のうちの少なくとも１つの角部に、丸味を付したことを特徴とする請求項１または２に記載のワークテーブル。
【請求項４】
前記天板の外郭を構成する四辺形のうちの少なくとも１辺を、平面視において、内側または外側に向かう凸状のゆるやかな弧状に形成したことを特徴とする請求項１〜３のいずれかに記載のワークテーブル。
【請求項５】
前記天板の外郭を構成する四辺形のうちの非平行である１対の相対する２辺を、両者ともに平面視において、内側に向かう凸状のゆるやかな弧状に形成したことを特徴とする請求項４に記載のワークテーブル。
【請求項６】
請求項１〜５のいずれかに記載のワークテーブルを、レイアウトの構成要素として用い、前記ワークテーブルの複数個を一定の規則のもとに配列することによって形成したことを特徴とするワークエリアのレイアウト。
【請求項７】
請求項１〜５のいずれかに記載の複数のワークテーブルを、左右に隣接して配列するとともに、前記隣接して配列したワークテーブルの天板の外郭を構成する四辺形において、非平行である１対の相対する２辺（ｃ辺とｄ辺）のうちの長い方の１辺（ｄ辺）が、一直線上に位置するように配列して形成したことを特徴とする請求項６に記載のワークエリアのレイアウト。
【請求項８】
請求項１〜５のいずれかに記載の複数のワークテーブルを、左右に隣接して配列するとともに、前記隣接して配列したワークテーブルの天板の外郭を構成する四辺形において、非平行である１対の相対する２辺（ｃ辺とｄ辺）のうちの短い方の１辺（ｃ辺）が、一直線上に位置するように配列して形成したことを特徴とする請求項６に記載のワークエリアのレイアウト。
【請求項９】
請求項１〜５のいずれかに記載の複数のワークテーブルを、間に椅子を配置し得るように前後に間隔をあけて配列するとともに、前記前後に配列したワークテーブルの天板の外郭を構成する四辺形において、平行である１対の相対する２辺（ａ辺とｂ辺）のうちのいずれかの１辺が、一直線上に位置するように配列して形成したことを特徴とする請求項６記載のワークエリアのレイアウト。
【請求項１０】
請求項７〜９のいずれかに記載した左右または前後に配列した複数個のワークテーブルの群列同士を、対面させて配列して形成したことを特徴とする請求項６記載のワークエリアのレイアウト。
【請求項１１】
請求項７に記載した左右に配列した複数個のワークテーブルの群列と、請求項８に記載した左右に配列した複数個のワークテーブルの群列とを、対面させて配列して形成したことを特徴とする請求項１０記載のワークエリアのレイアウト。
【請求項１２】
請求項７または８に記載した左右に配列した複数個のワークテーブルの群列と、請求項９に記載した前後に配列した複数個のワークテーブルの群列とを、対面させて配列して形成したことを特徴とする請求項１０記載のワークエリアのレイアウト。
【発明の詳細な説明】
【０００１】
【発明の属する技術分野】
本発明は、オフィス等の執務空間において使用されるワークテーブル、およびこれを用いたワークエリアのレイアウトに関する。
【０００２】
【従来の技術】
ワークエリアのレイアウトは、コミュニケーションのとり易さや床スペースを有効に利用するため、一般に、図１６に示すように、方形の天板（０１）を備えるワークテーブル（０２）を対向式に配列して行われている（たとえば特許文献１）。
しかし、このようなレイアウトによると、執務者（０３）（０３）同士が正対して配置されるため、執務者（０３）（０３）同士の目線が直接交錯し、集中度が損われることがある。
【０００３】
【特許文献１】
特開２００１−３５３０３４（図１１，図１７）
【０００４】
また、近年のオフィス環境においては、パソコンを使用して業務を行うことが多いが、ディスプレイやキーボード等を載置すると奥行き方向のスペースが不足しがちである。このようなスペースを確保するためには、天板の奥行き寸法を大きくする必要があるが、方形の天板の奥行きを大きくすると、レイアウト全体の奥行きを広くとらざるを得ず、床スペースの有効利用の観点から無駄が多くなる。
【０００５】
さらに、配置転換などにより、人員構成が変更になった場合、方形の天板を備えるワークテーブルでは、床スペースの増減によって対処する他ない場合が多い。
【０００６】
【発明が解決しようとする課題】
本発明は、前記の現状に鑑み、執務者同士の目線が直接交錯することがなく、集中して執務にあたることができるとともに、パソコン等を使用して業務を行う場合にも、ディスプレイやキーボード等を載置するための充分な奥行きを有し、かつ配置転換などによる人員構成の変化にも、実質的に利用しうる床スペースを増減することなく、柔軟に対応することができるようにしたワークテーブル、およびこれを用いたワークエリアのレイアウトを提供することを課題とする。
【０００７】
【課題を解決するための手段】
本発明によると、上記課題は次のようにして解決される。
（１）  平面視においてほぼ四辺形の天板であって、前記四辺形における１対の相対する２辺（ａ辺とｂ辺）が平行であるとともに、他方の１対の相対する２辺（ｃ辺とｄ辺）が非平行であり、かつ前記１対の平行な２辺のうち、長さが短い方の１辺（ａ辺）と、他方の１対の相対する２辺（ｃ辺とｄ辺）のうちのそれぞれの１辺との間に形成される２つの内角のうち、１つの内角を鋭角とし、他方の内角を鈍角とした天板を備えるワークテーブルとする。
【０００８】
（２）  上記（１）項において、前記鋭角である内角を（６５±１５）度、前記鈍角である内角を（１３０±１５）度とする。
【０００９】
（３）  上記（１）項または（２）項において、前記天板の外郭を構成する四辺形において、各辺の交わる４つの角部のうちの少なくとも１つの角部に、丸味を付す。
【００１０】
（４）  上記（１）項〜（３）項のいずれかにおいて、前記天板の外郭を構成する四辺形のうちの少なくとも１辺を、平面視において、内側または外側に向かう凸状のゆるやかな弧状に形成する。
【００１１】
（５）  上記（４）項において、前記天板の外郭を構成する四辺形のうちの非平行である１対の相対する２辺を、両者ともに平面視において、内側に向かう凸状のゆるやかな弧状に形成する。
【００１２】
（６）  上記（１）項〜（５）項のいずれかに記載のワークテーブルを、レイアウトの構成要素として用い、前記ワークテーブルの複数個を一定の規則のもとに配列することによって形成する。
【００１３】
（７）  上記（６）項において、上記（１）〜（５）項のいずれかに記載の複数のワークテーブルを、左右に隣接して配列するとともに、前記隣接して配列したワークテーブルの天板の外郭を構成する四辺形において、非平行である１対の相対する２辺（ｃ辺とｄ辺）のうちの長い方の１辺（ｄ辺）が、一直線上に位置するように配列して形成する。
【００１４】
（８）  上記（６）項において、上記（１）〜（５）項のいずれかに記載の複数のワークテーブルを、左右に隣接して配列するとともに、前記隣接して配列したワークテーブルの天板の外郭を構成する四辺形において、非平行である１対の相対する２辺（ｃ辺とｄ辺）のうちの短い方の１辺（ｃ辺）が、一直線上に位置するように配列して形成する。
【００１５】
（９）  上記（６）項において、上記（１）〜（５）項のいずれかに記載の複数のワークテーブルを、間に椅子を配置し得るように前後に間隔をあけて配列するとともに、前記前後に配列したワークテーブルの天板の外郭を構成する四辺形において、平行である１対の相対する２辺（ａ辺とｂ辺）のうちのいずれかの１辺が、一直線上に位置するように配列して形成する。
【００１６】
（１０）  上記（６）項において、上記（７）項〜（９）項のいずれかに記載した左右または前後に配列した複数個のワークテーブルの群列同士を、対面させて配列して形成する。
【００１７】
（１１）  上記（１０）項において、上記（７）項に記載した左右に配列した複数個のワークテーブルの群列と、上記（８）項に記載した左右に配列した複数個のワークテーブルの群列とを、対面させて配列して形成する。
【００１８】
（１２）  上記（１０）項において、上記（７）または（８）項に記載した左右に配列した複数個のワークテーブルの群列と、上記（９）項に記載した前後に配列した複数個のワークテーブルの群列とを、対面させて配列して形成する。
【００１９】
【発明の実施の形態】
図１は、本発明のワークテーブル（１）と、椅子（２）に着座した執務者（３）を示す平面図である。
本発明のワークテーブル（１）は、特定形状の天板（４）を備えることが特徴である。すなわち、前記天板（４）は、平面視においてほぼ四辺形の天板（４）であって、この四辺形における１対の相対する２辺（ａ辺とｂ辺）が平行であり、かつ他方の１対の相対する２辺（ｃ辺とｄ辺）が非平行である。
【００２０】
前記１対の平行な２辺のうち、長さが短い方の１辺（ａ辺）と、他方の非平行な１対の相対する２辺（ｃ辺とｄ辺）のうちの、それぞれの１辺との間に形成される２つの内角（∠αと∠β）のうち、１つの内角（∠α）は鋭角であり、他方の内角（∠β）は鈍角となるように形成されている。
【００２１】
また、∠αの対角を∠γ、∠βの対角を∠δとした場合、具体的な好ましい実施形態としては、∠α＝（６５±１５）度、∠β＝（１３０±１５）度、∠γ＝（５０±１５）度、∠δ＝（１１５±１５）度の各内角を有する天板（４）である。このような内角とすることにより、後記する各種のレイアウトが好ましい形態で形成される。
【００２２】
天板（４）の外郭を構成する四辺形において、各辺の交わる４つの角部すべて、もしくは任意のものを、図１において、∠γの角部に示すように、適宜の丸味を付したものとしてもよい。
【００２３】
図２は、図１に示したワークテーブル（１）において、丸味が付されていないワークテーブル（５）を用いたワークエリアのレイアウト例である。
ワークテーブル（５）を、左右に隣接して配列するとともに、前記隣接して配列したワークテーブル（５）の天板（６）の外郭を構成する四辺形において、非平行である１対の相対する２辺（ｃ辺とｄ辺）のうちの長い方の１辺（ｄ辺）が、一直線上に位置するように配列してワークエリアが形成されている。
【００２４】
図３は、図１に示したワークテーブル（１）を、図２の場合と同様に配列したレイアウトを示す平面図である。
図４は、図１に示したワークテーブル（１）において、天板（４）の外郭を構成する四辺形のうち、平行な１対の相対する２辺（ａ辺とｂ辺）を、平面視において、外側に向けて凸状のゆるやかな弧状に形成するとともに、他の非平行な１対の相対する２辺（ｃ辺とｄ辺）を、平面視において、内側に向けて凸状のゆるやかな弧状に形成した形状の天板（７）を備えるワークテーブル（８）を、図２と同様に配列したレイアウトを示す平面図である。
なお、図４に示すレイアウトでは、隣接するワークテーブル（８）（８）間を、パーティション（９）で仕切ってある。また、符号１０，１１，１２はそれぞれパソコン、キーボード、サイドテーブルを示す。
【００２５】
図２〜図４に示すレイアウトは、ワークテーブル（５）（１）（８）の天板（６）（４）（７）の外郭を構成する四辺形において、非平行である１対の相対する２辺のうちの長い方の１辺が、一直線上に位置するように配列されている。
【００２６】
これに対して、図５〜図７は、ワークテーブル（１３）（１５）（１７）の天板（１４）（１６）（１８）の外郭を構成する四辺形において、非平行である１対の相対する２辺のうちの短い方の１辺が、一直線上に位置するように配列された場合のレイアウトの平面図を示し、それぞれ図２〜図４に対応する図である。
【００２７】
図８は、複数のワークテーブル（１９）を、間に椅子を配置し得るように前後に間隔をあけて配列するとともに、前記前後に配列したワークテーブル（１９）の天板（２０）の外郭を構成する四辺形において、平行である１対の相対する２辺（ａ辺とｂ辺）のうちの長い方の１辺（ｂ辺）が、一直線上に位置するように配列してワークエリアが形成されている。
【００２８】
図９は、図４に示したワークテーブル（８）と同じ形状のワークテーブル（２１）を用いて、図８と同様に配列した例を示す。
図２〜図９は、複数個のワークテーブルを、左右または前後に、各ワークテーブルにおける天板の所定の辺が一直線上に位置するように配列してレイアウトを形成したものであったが、これら左右または前後に配列した複数個のワークテーブルの群列同士を、対面させて配列してレイアウトを形成することもできる。
【００２９】
図１０は、図７に示したワークテーブル（１７）の群列同士を、対面させて配列した例を示す。
【００３０】
図１１は、図２に示したワークテーブル（５）の群列と、図５に示したワークテーブル（１３）の群列とを、対面させて配列した例を示す。
【００３１】
図１２は、図３に示したワークテーブル（１）の群列と、図６に示したワークテーブル（１５）の群列とを、対面させて配列した例を示す。
【００３２】
図１１、図１２に示すレイアウトにおいて、対面させて配列したワークテーブルの群列の一方は、執務者の人数が５名、他方は６名であるが、両者とも、利用している床スペースの長さＬは同じである。
【００３３】
図１３は、図６に示したワークテーブル（１５）の群列と、図８に示したワークテーブル（１９）の群列とを、対面させて配列した例を示す。
【００３４】
図１４は、図４に示したワークテーブル（８）の群列と、図９に示したワークテーブル（２１）の群列とを、対面させて配列した例を示す。
【００３５】
図１５は、図１に示すワークテーブル（１）を２個用いて、天板（４）の外郭を構成する四辺形において、非平行である１対の相対する２辺（ｃ辺とｄ辺）のうち、短い方の１辺（ｃ辺）同士を当接させて配列した例を示す。
【００３６】
【発明の効果】
本発明によれば、次の効果が奏せられる。
（１）  請求項１記載の発明によれば、本発明のワークテーブルは、パソコン等を利用して業務を行う場合に、ディスプレイやキーボード等を載置するための奥行き方向の充分なスペースを確保することができるとともに、このワークテーブルを用いて、ワークエリアのレイアウトを行えば、執務者同士の目線が直接交錯することがなく、集中して執務にあたることができ、かつ配置転換などによる人員構成の変化にも、ある程度の人員数の範囲では、実質的に利用する床スペースの増減をともなわずに、柔軟に対応することができる。
【００３７】
（２）  請求項２記載の発明によれば、請求項１記載の発明の効果が一層得やすいワークテーブルを得ることができる。
【００３８】
（３）  請求項３記載の発明によれば、角部に丸味を付すことによって、安全度が向上するとともに、優美感のあるデザインを備えるワークテーブルを得ることができる。
【００３９】
（４）  請求項４記載の発明によれば、同様に、優美感のある洗練されたデザインを備えるワークテーブルを得ることができるとともに、内側に向けて凸状のゆるやかな弧状に形成した場合は、この弧状に形成した縁辺同士を、対向させてワークテーブルを配列することにより、天板間に形成された開口を、たとえば配線落し込み口として利用することができる。
【００４０】
（５）  請求項５記載の発明によれば、ワークテーブルの４辺のうち、内側に向かう凸状のゆるやかな弧状に形成された１対の相対する非平行な２辺のうちのいずれかの１辺に接して使用者が着座する態様（図４，図７，図９，図１０及び図１４参照）で用いることにより、当該接する辺が使用者を包み込むような形状となり、使い勝手に優れるとともに、相対する他方の辺においては、天板後方の中央がえぐられた形状となり、この部分を配線スペースとして使用しうるという利点がある。
【００４１】
（６）  請求項６記載の発明によれば、パソコン等を利用して業務を行う場合に、ディスプレイやキーボード等を載置するための奥行き方向の充分なスペースを確保することができるとともに、執務者同士の目線が直接交錯することがなく、集中して執務にあたることができ、かつ配置転換などによる人員構成の変化にも、ある程度の人員数の範囲では、実質的に利用する床スペースの増減をともなわずに、柔軟に対応することができる。
【００４２】
（７）  請求項７記載の発明によれば、請求項６記載の発明と同様な効果が奏せられる。
【００４３】
（８）  請求項８記載の発明によれば、同じく、請求項６記載の発明と同様な効果が奏せられる。
【００４４】
（９）  請求項９記載の発明によれば、同じく、請求項６記載の発明と同様な効果が奏せられる。
【００４５】
（１０）  請求項１０記載の発明によれば、同じく、請求項６記載の発明と同様な効果が奏せられる。
【００４６】
（１１）  請求項１１記載の発明によれば、同じく、請求項６記載の発明と同様な効果が奏せられる。
【００４７】
（１２）  請求項１２記載の発明によれば、同じく、請求項６記載の発明と同様な効果が奏せられる。
【図面の簡単な説明】
【図１】本発明のワークテーブルと椅子に着座した執務者を示す平面図である。
【図２】図１に示したワークテーブルにおいて、角部に丸味が付されていないワークテーブルを用いて、ワークエリアを形成したレイアウトを示す平面図である。
【図３】図１に示したワークテーブルを、図２と同様に配列したレイアウトを示す平面図である。
【図４】図１に示したワークテーブルを、一部変形して得たワークテーブルを、図２と同様に配列したレイアウトを示す平面図である。
【図５】別の実施形態のレイアウトを示す平面図である。
【図６】同じく、別の実施形態のレイアウトを示す平面図である。
【図７】同じく、別の実施形態のレイアウトを示す平面図である。
【図８】同じく、別の実施形態のレイアウトを示す平面図である。
【図９】同じく、別の実施形態のレイアウトを示す平面図である。
【図１０】同じく、別の実施形態のレイアウトを示す平面図である。
【図１１】同じく、別の実施形態のレイアウトを示す平面図である。
【図１２】同じく、別の実施形態のレイアウトを示す平面図である。
【図１３】同じく、別の実施形態のレイアウトを示す平面図である。
【図１４】同じく、別の実施形態のレイアウトを示す平面図である。
【図１５】同じく、別の実施形態のレイアウトを示す平面図である。
【図１６】従来の方形のワークテーブルを用いたレイアウトを示す平面図である。
【符号の説明】
（１）ワークテーブル
（２）椅子
（３）執務者
（４）天板
（５）ワークテーブル
（６）天板
（７）天板
（８）ワークテーブル
（９）パーティション
（１０）パソコン
（１１）キーボード
（１２）サイドテーブル
（１３）ワークテーブル
（１４）天板
（１５）ワークテーブル
（１６）天板
（１７）ワークテーブル
（１８）天板
（０１）天板
（０２）ワークテーブル
（０３）執務者
【図１】
2004337494.tif 000003
【図２】
2004337494.tif 000004
【図３】
2004337494.tif 000005
【図４】
2004337494.tif 000006
【図５】
2004337494.tif 000007
【図６】
2004337494.tif 000008
【図７】
2004337494.tif 000009
【図８】
2004337494.tif 000010
【図９】
2004337494.tif 000011
【図１０】
2004337494.tif 000012
【図１１】
2004337494.tif 000013
【図１２】
2004337494.tif 000014
【図１３】
2004337494.tif 000015
【図１４】
2004337494.tif 000016
【図１５】
2004337494.tif 000017
【図１６】
2004337494.tif 000018